(57)【要約】【課題】  ユーザにより指定されていない設定項目について、そのユーザに適した値を自動的に選択する。【解決手段】  内部処理装置１１〜１３は、複数の設定項目の値に従って動作する。要求処理部３２は、内部処理装置１１〜１３に対する要求を受け付け、要求における指定に従って複数の設定項目の値を設定し、内部処理装置１１〜１３を動作させる。設定管理部３３は、内部処理装置１１〜１３を動作させた際の複数の設定項目の値の組合せの履歴を記録し、要求において複数の設定項目のうちの１または複数の設定項目の値が指定されていない場合に、履歴に基づいて、未指定の設定項目の値を決定する。設定管理部３３は、要求において未指定の設定項目について、履歴における出現回数が最も多い値を特定し、その値を要求において未指定の設定項目の値とする。【選択図】図２
2010257385.tif 000002
【特許請求の範囲】
【請求項１】
複数の設定項目の値に従って動作する内部処理装置と、
前記内部処理装置に対する要求を受け付け、前記要求における指定に従って複数の設定項目の値を設定し、前記内部処理装置を動作させる要求処理部と、
前記内部処理装置を動作させた際の前記複数の設定項目の値の組合せの履歴を記録するとともに、前記要求において前記複数の設定項目のうちの１または複数の設定項目の値が指定されていない場合に、前記履歴に基づいて、前記要求において指定されていない設定項目の値を決定する設定管理部とを備え、
前記設定管理部は、前記要求において指定されていない設定項目について、前記履歴における出現回数が最も多い値を特定し、その値を前記要求において指定されていない設定項目の値とすること、
を特徴とする電子機器。
【請求項２】
複数の設定項目の値に従って動作する内部処理装置と、
前記内部処理装置に対する要求を受け付け、前記要求における指定に従って複数の設定項目の値を設定し、前記内部処理装置を動作させる要求処理部と、
前記内部処理装置を動作させた際の前記複数の設定項目の値の組合せの履歴を記録するとともに、前記要求において前記複数の設定項目のうちの１または複数の設定項目の値が指定されていない場合に、前記履歴に基づいて、前記要求において指定されていない設定項目の値を決定する設定管理部とを備え、
前記設定管理部は、前記要求において指定されている１または複数の設定項目の値をすべて含む組合せのうち、最後に記録された組合せを特定し、その組合せにおける、前記要求において指定されていない設定項目の値を、前記要求において指定されていない設定項目の値とすること、
を特徴とする電子機器。
【請求項３】
複数の設定項目の値に従って動作する内部処理装置と、
前記内部処理装置に対する要求を受け付け、前記要求における指定に従って複数の設定項目の値を設定し、前記内部処理装置を動作させる要求処理部と、
前記内部処理装置を動作させた際の前記複数の設定項目の値の組合せの履歴を記録するとともに、前記要求において前記複数の設定項目のうちの１または複数の設定項目の値が指定されていない場合に、前記履歴に基づいて、前記要求において指定されていない設定項目の値を決定する設定管理部とを備え、
前記設定管理部は、前記要求において指定されている１または複数の設定項目の値をすべて含む複数の組合せを特定し、特定した組合せのうち、出現回数が最も多い組合せにおける、前記要求において指定されていない設定項目の値を、前記要求において指定されていない設定項目の値とすること、
を特徴とする電子機器。
【請求項４】
前記出現回数が最も多い値として出現回数が同一である互いに異なる複数の値が存在する場合、前記設定管理部は、前記出現回数が最も多い値のうち、最後に指定された値を特定し、その値を前記要求において指定されていない設定項目の値とすることを特徴とする請求項１記載の電子機器。
【請求項５】
前記出現回数が最も多い組合せとして出現回数が同一である互いに異なる複数の組合せが存在する場合、前記設定管理部は、前記出現回数が最も多い組合せのうち、最後に指定された組合せを特定し、その組合せにおける、前記要求において指定されていない設定項目の値を、前記要求において指定されていない設定項目の値とすることを特徴とする請求項３記載の電子機器。
【請求項６】
前記設定管理部は、前記要求を発行したユーザのユーザＩＤに関連付けて、その要求に応じて前記内部処理装置を動作させた際の前記複数の設定項目の値の組合せを前記履歴に記録し、前記要求において前記複数の設定項目のうちの１または複数の設定項目の値が指定されていない場合に、前記履歴のうち、その要求を発行したユーザのユーザＩＤに関連付けられている組合せのみに基づいて、前記要求において指定されていない設定項目の値を決定することを特徴とする請求項１から請求項５のいずれか１項記載の電子機器。
【請求項７】
前記設定管理部は、前記要求を発行したホスト装置のアドレス情報に関連付けて、その要求に応じて前記内部処理装置を動作させた際の前記複数の設定項目の値の組合せを前記履歴に記録し、前記要求において前記複数の設定項目のうちの１または複数の設定項目の値が指定されていない場合に、前記履歴のうち、その要求を発行したホスト装置のアドレス情報に関連付けられている組合せのみに基づいて、前記要求において指定されていない設定項目の値を決定することを特徴とする請求項１から請求項５のいずれか１項記載の電子機器。
【請求項８】
前記設定管理部は、前記要求を受け付けた時刻に関連付けて、その要求に応じて前記内部処理装置を動作させた際の前記複数の設定項目の値の組合せを前記履歴に記録し、前記要求において前記複数の設定項目のうちの１または複数の設定項目の値が指定されていない場合に、前記履歴のうち、その要求を受け付けた時刻を含む所定の時間帯に含まれる時刻に関連付けられている組合せのみに基づいて、前記要求において指定されていない設定項目の値を決定することを特徴とする請求項１から請求項７のいずれか１項記載の電子機器。
【請求項９】
要求に従って電子機器の内部処理装置を動作させた際の複数の設定項目の値の組合せの履歴を記録するとともに、前記要求において前記複数の設定項目のうちの１または複数の設定項目の値が指定されていない場合に、前記履歴に基づいて、前記要求において指定されていない設定項目の値を決定する設定管理部としてコンピュータを動作させ、
前記設定管理部は、前記要求において指定されていない設定項目について、前記履歴における出現回数が最も多い値を特定し、その値を前記要求において指定されていない設定項目の値とすること、
を特徴とする設定管理プログラム。
【請求項１０】
要求に従って電子機器の内部処理装置を動作させた際の複数の設定項目の値の組合せの履歴を記録するとともに、前記要求において前記複数の設定項目のうちの１または複数の設定項目の値が指定されていない場合に、前記履歴に基づいて、前記要求において指定されていない設定項目の値を決定する設定管理部としてコンピュータを動作させ、
前記設定管理部は、前記要求において指定されている１または複数の設定項目の値をすべて含む組合せのうち、最後に記録された組合せを特定し、その組合せにおける、前記要求において指定されていない設定項目の値を、前記要求において指定されていない設定項目の値とすること、
を特徴とする設定管理プログラム。
【請求項１１】
要求に従って電子機器の内部処理装置を動作させた際の複数の設定項目の値の組合せの履歴を記録するとともに、前記要求において前記複数の設定項目のうちの１または複数の設定項目の値が指定されていない場合に、前記履歴に基づいて、前記要求において指定されていない設定項目の値を決定する設定管理部としてコンピュータを動作させ、
前記設定管理部は、前記要求において指定されている１または複数の設定項目の値をすべて含む複数の組合せを特定し、特定した組合せのうち、出現回数が最も多い組合せにおける、前記要求において指定されていない設定項目の値を、前記要求において指定されていない設定項目の値とすること、
を特徴とする設定管理プログラム。
【請求項１２】
前記出現回数が最も多い値として出現回数が同一である互いに異なる複数の値が存在する場合、前記設定管理部は、前記出現回数が最も多い値のうち、最後に指定された値を特定し、その値を前記要求において指定されていない設定項目の値とすることを特徴とする請求項９記載の設定管理プログラム。
【請求項１３】
前記出現回数が最も多い組合せとして出現回数が同一である互いに異なる複数の組合せが存在する場合、前記設定管理部は、前記出現回数が最も多い組合せのうち、最後に指定された組合せを特定し、その組合せにおける、前記要求において指定されていない設定項目の値を、前記要求において指定されていない設定項目の値とすることを特徴とする請求項１１記載の設定管理プログラム。
【請求項１４】
前記設定管理部は、前記要求を発行したユーザのユーザＩＤに関連付けて、その要求に応じて前記内部処理装置を動作させた際の前記複数の設定項目の値の組合せを前記履歴に記録し、前記要求において前記複数の設定項目のうちの１または複数の設定項目の値が指定されていない場合に、前記履歴のうち、その要求を発行したユーザのユーザＩＤに関連付けられている組合せのみに基づいて、前記要求において指定されていない設定項目の値を決定することを特徴とする請求項９から請求項１３のいずれか１項記載の設定管理プログラム。
【請求項１５】
前記設定管理部は、前記要求を発行したホスト装置のアドレス情報に関連付けて、その要求に応じて前記内部処理装置を動作させた際の前記複数の設定項目の値の組合せを前記履歴に記録し、前記要求において前記複数の設定項目のうちの１または複数の設定項目の値が指定されていない場合に、前記履歴のうち、その要求を発行したホスト装置のアドレス情報に関連付けられている組合せのみに基づいて、前記要求において指定されていない設定項目の値を決定することを特徴とする請求項９から請求項１３のいずれか１項記載の設定管理プログラム。
【請求項１６】
前記設定管理部は、前記要求を受け付けた時刻に関連付けて、その要求に応じて前記内部処理装置を動作させた際の前記複数の設定項目の値の組合せを前記履歴に記録し、前記要求において前記複数の設定項目のうちの１または複数の設定項目の値が指定されていない場合に、前記履歴のうち、その要求を受け付けた時刻を含む所定の時間帯に含まれる時刻に関連付けられている組合せのみに基づいて、前記要求において指定されていない設定項目の値を決定することを特徴とする請求項９から請求項１５のいずれか１項記載の設定管理プログラム。
【発明の詳細な説明】
【技術分野】
【０００１】
本発明は、電子機器および設定管理プログラムに関するものである。
【背景技術】
【０００２】
電子機器を使用する際、ユーザは、各種設定項目の値を入力する。これにより、電子機器は、その設定項目の値に従って、ユーザ所望の動作をする。設定項目が多い場合、値の入力作業が煩雑になるため、入力作業を簡略化するための技術が提案されている。
【０００３】
例えば、ある複合機は、ユーザによる設定データをユーザ毎に保存しておき、前回使用した設定データを自動的に読み出して使用したり、最も使用頻度の高い設定データを使用する（例えば特許文献１参照）。
【０００４】
また、ある画像形成装置は、ユーザによって指定された設定項目の値の履歴を保存しておき、その履歴を遡って、過去に指定された設定項目の値を表示し、ユーザにより、その過去に指定された設定項目の値から、今回の設定項目の値が選択される（例えば特許文献２参照）。
【０００５】
また、ある画像形成装置は、設定項目の値の履歴を保存しておき、ユーザにより、その履歴の中から所望の設定項目の値が選択される（例えば特許文献３参照）。
【先行技術文献】
【特許文献】
【０００６】
【特許文献１】特開２００５−０９４１２１号公報
【特許文献２】特開２００７−０２７８２７号公報
【特許文献３】特開２００８−１７９１１１号公報
【発明の概要】
【発明が解決しようとする課題】
【０００７】
しかしながら、上述の技術においては、複数の設定項目のうちの一部の値がユーザに指定されている場合、残りの設定項目について、そのユーザに適した値を自動的に選択することは困難である。
【０００８】
本発明は、上記の問題に鑑みてなされたものであり、ユーザにより指定されていない設定項目について、そのユーザに適した値を自動的に選択することができる電子機器および設定管理プログラムを得ることを目的とする。
【課題を解決するための手段】
【０００９】
上記の課題を解決するために、本発明では以下のようにした。
【００１０】
本発明に係る電子機器は、複数の設定項目の値に従って動作する内部処理装置と、内部処理装置に対する要求を受け付け、要求における指定に従って複数の設定項目の値を設定し、内部処理装置を動作させる要求処理部と、内部処理装置を動作させた際の複数の設定項目の値の組合せの履歴を記録するとともに、要求において複数の設定項目のうちの１または複数の設定項目の値が指定されていない場合に、履歴に基づいて、要求において指定されていない設定項目の値を決定する設定管理部とを備える。そして、設定管理部は、要求において指定されていない設定項目について、履歴における出現回数が最も多い値を特定し、その値を要求において指定されていない設定項目の値とする。あるいは、設定管理部は、要求において指定されている１または複数の設定項目の値をすべて含む組合せのうち、最後に記録された組合せを特定し、その組合せにおける、要求において指定されていない設定項目の値を、要求において指定されていない設定項目の値とする。あるいは、設定管理部は、要求において指定されている１または複数の設定項目の値をすべて含む複数の組合せを特定し、特定した組合せのうち、出現回数が最も多い組合せにおける、要求において指定されていない設定項目の値を、要求において指定されていない設定項目の値とする。
【００１１】
これにより、ユーザにより指定されていない設定項目について、そのユーザに適した値を自動的に選択することができる。
【００１２】
また、本発明に係る電子機器は、上記の電子機器に加え、次のようにしてもよい。出現回数が最も多い値として出現回数が同一である互いに異なる複数の値が存在する場合、設定管理部は、出現回数が最も多い値のうち、最後に指定された値を特定し、その値を要求において指定されていない設定項目の値とする。
【００１３】
また、本発明に係る電子機器は、上記の電子機器に加え、次のようにしてもよい。
出現回数が最も多い組合せとして出現回数が同一である互いに異なる複数の組合せが存在する場合、設定管理部は、出現回数が最も多い組合せのうち、最後に指定された組合せを特定し、その組合せにおける、要求において指定されていない設定項目の値を、要求において指定されていない設定項目の値とする。
【００１４】
また、本発明に係る電子機器は、上記の電子機器に加え、次のようにしてもよい。この場合、設定管理部は、要求を発行したユーザのユーザＩＤに関連付けて、その要求に応じて内部処理装置を動作させた際の複数の設定項目の値の組合せを履歴に記録し、要求において複数の設定項目のうちの１または複数の設定項目の値が指定されていない場合に、履歴のうち、その要求を発行したユーザのユーザＩＤに関連付けられている組合せのみに基づいて、要求において指定されていない設定項目の値を決定する。
【００１５】
また、本発明に係る電子機器は、上記の電子機器に加え、次のようにしてもよい。この場合、設定管理部は、要求を発行したホスト装置のアドレス情報に関連付けて、その要求に応じて内部処理装置を動作させた際の複数の設定項目の値の組合せを履歴に記録し、要求において複数の設定項目のうちの１または複数の設定項目の値が指定されていない場合に、履歴のうち、その要求を発行したホスト装置のアドレス情報に関連付けられている組合せのみに基づいて、要求において指定されていない設定項目の値を決定する。
【００１６】
また、本発明に係る電子機器は、上記の電子機器に加え、次のようにしてもよい。この場合、設定管理部は、要求を受け付けた時刻に関連付けて、その要求に応じて内部処理装置を動作させた際の複数の設定項目の値の組合せを履歴に記録し、要求において複数の設定項目のうちの１または複数の設定項目の値が指定されていない場合に、履歴のうち、その要求を受け付けた時刻を含む所定の時間帯に含まれる時刻に関連付けられている組合せのみに基づいて、要求において指定されていない設定項目の値を決定する。
【００１７】
本発明に係る設定管理プログラムは、要求に従って電子機器の内部処理装置を動作させた際の複数の設定項目の値の組合せの履歴を記録するとともに、要求において複数の設定項目のうちの１または複数の設定項目の値が指定されていない場合に、履歴に基づいて、要求において指定されていない設定項目の値を決定する設定管理部としてコンピュータを動作させる。そして、設定管理部は、要求において指定されていない設定項目について、履歴における出現回数が最も多い値を特定し、その値を要求において指定されていない設定項目の値とする。あるいは、設定管理部は、要求において指定されている１または複数の設定項目の値をすべて含む組合せのうち、最後に記録された組合せを特定し、その組合せにおける、要求において指定されていない設定項目の値を、要求において指定されていない設定項目の値とする。あるいは、設定管理部は、要求において指定されている１または複数の設定項目の値をすべて含む複数の組合せを特定し、特定した組合せのうち、出現回数が最も多い組合せにおける、要求において指定されていない設定項目の値を、要求において指定されていない設定項目の値とする。
【００１８】
これにより、ユーザにより指定されていない設定項目について、そのユーザに適した値を自動的に選択することができる。
【００１９】
また、本発明に係る設定管理プログラムは、上記の設定管理プログラムに加え、次のようにしてもよい。出現回数が最も多い値として出現回数が同一である互いに異なる複数の値が存在する場合、設定管理部は、出現回数が最も多い値のうち、最後に指定された値を特定し、その値を要求において指定されていない設定項目の値とする。
【００２０】
また、本発明に係る設定管理プログラムは、上記の設定管理プログラムに加え、次のようにしてもよい。出現回数が最も多い組合せとして出現回数が同一である互いに異なる複数の値が組合せする場合、設定管理部は、出現回数が最も多い組合せのうち、最後に指定された組合せを特定し、その組合せにおける、要求において指定されていない設定項目の値を、要求において指定されていない設定項目の値とする。
【００２１】
また、本発明に係る設定管理プログラムは、上記の設定管理プログラムに加え、次のようにしてもよい。この場合、設定管理部は、要求を発行したユーザのユーザＩＤに関連付けて、その要求に応じて内部処理装置を動作させた際の複数の設定項目の値の組合せを履歴に記録し、要求において複数の設定項目のうちの１または複数の設定項目の値が指定されていない場合に、履歴のうち、その要求を発行したユーザのユーザＩＤに関連付けられている組合せのみに基づいて、要求において指定されていない設定項目の値を決定する。
【００２２】
また、本発明に係る設定管理プログラムは、上記の設定管理プログラムに加え、次のようにしてもよい。この場合、設定管理部は、要求を発行したホスト装置のアドレス情報に関連付けて、その要求に応じて内部処理装置を動作させた際の複数の設定項目の値の組合せを履歴に記録し、要求において複数の設定項目のうちの１または複数の設定項目の値が指定されていない場合に、履歴のうち、その要求を発行したホスト装置のアドレス情報に関連付けられている組合せのみに基づいて、要求において指定されていない設定項目の値を決定する。
【００２３】
また、本発明に係る設定管理プログラムは、上記の設定管理プログラムに加え、次のようにしてもよい。この場合、設定管理部は、要求を受け付けた時刻に関連付けて、その要求に応じて内部処理装置を動作させた際の複数の設定項目の値の組合せを履歴に記録し、要求において複数の設定項目のうちの１または複数の設定項目の値が指定されていない場合に、履歴のうち、その要求を受け付けた時刻を含む所定の時間帯に含まれる時刻に関連付けられている組合せのみに基づいて、要求において指定されていない設定項目の値を決定する。
【発明の効果】
【００２４】
本発明によれば、ユーザにより指定されていない設定項目について、そのユーザに適した値を自動的に選択することができる電子機器および設定管理プログラムを得ることができる。
【図面の簡単な説明】
【００２５】
【図１】図１は、本発明の実施の形態１に係る画像形成装置を含む通信システムの構成を示すブロック図である。
【図２】図２は、図１における画像形成装置の構成を示すブロック図である。
【図３】図３は、図２における設定履歴データの一例を示す図である。
【図４】図４は、本発明の実施の形態２に係る設定管理プログラムをインストールされたサーバ装置を含む通信システムの構成を示すブロック図である。
【図５】図５は、図４におけるサーバ装置の構成を示すブロック図である。
【図６】図６は、本発明の実施の形態３に係る設定管理プログラムをインストールされたサーバ装置を含む通信システムの構成を示すブロック図である。
【図７】図７は、図６における画像形成装置の構成を示すブロック図である。
【図８】図８は、図６におけるサーバ装置の構成を示すブロック図である。
【発明を実施するための形態】
【００２６】
以下、図に基づいて本発明の実施の形態を説明する。
【００２７】
実施の形態１．
図１は、本発明の実施の形態１に係る画像形成装置１を含む通信システムの構成を示すブロック図である。図１に示す通信システムでは、画像形成装置１、および１または複数のホスト装置２が、ネットワーク３に接続されている。
【００２８】
この実施の形態１では、画像形成装置１は、電子機器の一例としての複合機である。画像形成装置１は、プリンタ、スキャナ、ファクシミリ装置などの機器であってもよい。
【００２９】
ホスト装置２は、ネットワーク３を介して画像形成装置１へ要求を供給し、その要求に従って画像形成装置１を動作させる装置である。ホスト装置２としては、例えばパーソナルコンピュータが使用される。ホスト装置２は、要求を生成し、図示せぬネットワークインタフェースを使用して送信するドライバ２ａを有する。
【００３０】
ネットワーク３は、ＬＡＮ（Local Area Network）などのコンピュータネットワークである。
【００３１】
図２は、図１における画像形成装置１の構成を示すブロック図である。図２に示す画像形成装置１は、画像読取装置１１、印刷装置１２、ファクシミリ装置１３、ネットワークインタフェース１４、記憶装置１５およびコンピュータ１６を有する。
【００３２】
画像読取装置１１は、文書から文書画像を光学的に読み取り、文書画像の画像データを生成する内部処理装置である。印刷装置１２は、文書データに基づいて文書画像を印刷する印刷機能を有する内部処理装置である。ファクシミリ装置１３は、送信すべき文書データからファクシミリ信号を生成し送信するとともに、ファクシミリ信号を受信し文書データに変換する内部処理装置である。
【００３３】
ネットワークインタフェース１４は、ネットワーク３に接続され、ネットワーク３に接続された他の装置（ここでは、ホスト装置２）との間でデータ通信を行う電気回路である。
【００３４】
記憶装置１５は、データおよびコンピュータプログラムを記憶するための装置である。記憶装置１５としては、ハードディスクドライブ、不揮発性メモリなどが使用される。記憶装置１５には、設定管理プログラム２１、ユーザデータ２２、および設定履歴データ２３が記憶されている。
【００３５】
設定管理プログラム２１は、後述の設定管理部３３を実現するためのコンピュータプログラムである。
【００３６】
ユーザデータ２２は、登録ユーザの、ユーザＩＤおよびパスワードの対を含むデータである。ユーザデータ２２は、ユーザ認証時に使用される。なお、ユーザ認証がユーザＩＤのみで実行される場合には、ユーザデータ２２は、登録ユーザのユーザＩＤのみを含む。
【００３７】
設定履歴データ２３は、内部処理装置を動作させた際の所定の複数の設定項目の値の履歴を含むデータである。
【００３８】
図３は、図２における設定履歴データ２３の一例を示す図である。図３に示す設定履歴データ２３は、画像読取装置１１を動作させた際の所定の複数の設定項目の値の履歴を含む。図３に示すように、設定履歴データ２３には、１回の要求に従って内部処理装置が動作するごとに、１つのレコードが記録される。画像読取装置１１についての設定履歴データ２３では、１つのレコードは、要求の受信日時、要求を発行したユーザのユーザＩＤ、要求を発行したホスト装置２のＩＰアドレス、スキャン時のカラーモード、スキャン画像を含む画像ファイルのファイルフォーマット、およびスキャン時の読み込みサイズを含む。
【００３９】
コンピュータ１６は、ＣＰＵ（Central Processing Unit）、ＲＯＭ（Read Only Memory）、ＲＡＭ（Random Access Memory）などを有し、プログラムをＲＡＭにロードし、ＣＰＵにより実行する。これにより、各種処理部が実現される。この実施の形態１では、ユーザ認証部３１、要求処理部３２および設定管理部３３が実現される。なお、設定管理プログラム２１が実行されることにより、設定管理部３３が実現される。
【００４０】
ユーザ認証部３１は、ホスト装置２からユーザＩＤおよびパスワードを取得し、そのユーザＩＤおよびパスワードが登録ユーザのものであるか否かをユーザデータ２２と照合して判定する処理部である。なお、ユーザ認証部３１は、ホスト装置２からユーザＩＤのみを取得し、そのユーザＩＤが登録ユーザのものであるか否かをユーザデータ２２と照合して判定するようにしてもよい。
【００４１】
要求処理部３２は、内部処理装置に対する要求を受け付け、その要求における指定に従って複数の設定項目の値を設定し、内部処理装置を動作させる処理部である。この実施の形態１では、要求処理部３２は、ユーザ認証部３１により認証されたユーザの操作するホスト装置２から要求を受信し、その要求に従って内部処理装置を動作させる。なお、その内部処理装置について指定可能な所定の複数の設定項目のうち、要求において値が指定されていない設定項目が存在する場合には、要求処理部３２は、設定管理部３３からその設定項目の値を取得し、所定の複数の設定項目のすべての値を特定して、その複数の設定項目の値に従って内部処理装置を動作させる。
【００４２】
設定管理部３３は、内部処理装置を動作させた際の複数の設定項目の値の組合せの履歴を記録するとともに、要求において複数の設定項目のうちの１または複数の設定項目の値が指定されていない場合に、履歴に基づいて、その要求において指定されていない設定項目の値を決定する処理部である。
【００４３】
この実施の形態１では、要求において複数の設定項目のうちの１または複数の設定項目の値が指定されていない場合に、設定管理部３３は、次の３つの方法のいずれかで、その要求において指定されていない設定項目の値を決定する。
【００４４】
（方法１）設定管理部３３は、要求において指定されていない設定項目について、設定履歴データ２３における出現回数が最も多い値を特定し、その値を要求において指定されていない設定項目の値とする。なお、出現回数が最も多い値として、出現回数が同一であり互いに異なる複数の値が存在する場合、設定管理部３３は、最後に指定された値を使用する。
【００４５】
（方法２）設定管理部３３は、設定履歴データ２３における、要求において指定されている１または複数の設定項目の値をすべて含む組合せのうち、最後に記録された組合せを特定し、その組合せにおける、要求において指定されていない設定項目の値を、要求において指定されていない設定項目の値とする。
【００４６】
（方法３）設定管理部３３は、設定履歴データ２３における、要求において指定されている１または複数の設定項目の値をすべて含む複数の組合せを特定し、特定した組合せのうち、出現回数が最も多い組合せにおける、要求において指定されていない設定項目の値を、要求において指定されていない設定項目の値とする。なお、出現回数が最も多い組合せとして、出現回数が同一であり互いに異なる複数の組合せが存在する場合、設定管理部３３は、最後に指定された組合せを使用する。
【００４７】
なお、設定管理部３３は、上記３つの方法のうち、予め指定されている方法を使用すればよい。また、ユーザが上記３つの方法から１つを選択し、設定管理部３３は、上記３つの方法のうち、ユーザにより選択された方法を使用してもよい。
【００４８】
次に、上記画像形成装置１の動作について説明する。
【００４９】
例えば、ホスト装置２のドライバ２ａは、設定画面をホスト装置２の表示装置（図示せず）に表示させ、ユーザＩＤおよびパスワードの入力、並びにユーザによる設定項目の値の入力を受け付ける。
【００５０】
そして、ホスト装置２のドライバ２ａは、ユーザＩＤおよびパスワードを画像形成装置１へ送信し、ユーザ認証に成功すると、その入力された設定項目の値を含む要求（例えば、スキャン要求、プリント要求など）を生成し、ネットワーク３を介して画像形成装置１へ送信する。
【００５１】
このとき、ドライバ２ａが画像形成装置１の最新の専用ドライバであれば、画像形成装置１において設定可能な複数の設定項目すべての値を要求に含めることができるが、ドライバ２ａが汎用ドライバや古いドライバであると、画像形成装置１において設定可能な複数の設定項目のうちの一部の値を要求に含めないことがある。
【００５２】
一方、画像形成装置１では、ユーザ認証部３１が、ネットワークインタフェース１４を介して、ホスト装置２からのユーザＩＤおよびパスワードを受信し、ユーザデータ２２を参照して、そのユーザＩＤおよびパスワードが登録ユーザのものであるか否かを判定し、その結果をホスト装置２へ送信する。
【００５３】
なお、ユーザ認証処理にパスワードが不要である場合には、ホスト装置２からユーザＩＤのみが送信され、画像形成装置１のユーザ認証部３１は、そのユーザＩＤが登録ユーザのものであるか否かを判定し、その結果をホスト装置２へ送信する。
【００５４】
また、画像形成装置１では、要求処理部３２が、ネットワークインタフェース１４を介して、ホスト装置２からの要求を受信する。要求処理部３２は、所定の複数の設定項目のうち、その要求において値が指定されていない設定項目が存在するか否かを判定する。その要求において値が指定されていない設定項目が存在する場合には、要求処理部３２は、設定管理部３３からその設定項目の値を取得し、所定の複数の設定項目のすべての値を特定して、その複数の設定項目の値に従って内部処理装置を動作させる。また、設定管理部３３は、この要求についてのレコードを設定履歴データ２３に追加する。
【００５５】
要求処理部３２によりその要求において値が指定されていない設定項目が存在すると判定された場合、設定管理部３３は、設定履歴データ２３を参照して、上述の３つの方法のいずれかで、その設定項目の値を決定する。
【００５６】
設定履歴データ２３が図３に示すものであるとし、例えば、ユーザ「ＡＡＡ」がログインしているホスト装置２からスキャン要求が受信され、その要求において設定項目「カラーモード」の値がフルカラーであり、設定項目「読み込みサイズ」の値がＡ４であり、その要求において設定項目「ファイルフォーマット」の値が指定されていない場合、設定管理部３３は、方法１では、レコード＃１〜＃９に基づいて、設定項目「ファイルフォーマット」の値を「ＴＩＦＦ」とし、方法２では、レコード＃３に基づいて、設定項目「ファイルフォーマット」の値を「ＴＩＦＦ」とし、方法３では、レコード＃３，＃５，＃７に基づいて、設定項目「ファイルフォーマット」の値を「ＪＰＥＧ」とする。
【００５７】
また、設定履歴データ２３が図３に示すものであるとし、例えば、ユーザ「ＡＡＡ」がログインしているホスト装置２からスキャン要求が受信され、その要求において設定項目「カラーモード」の値がフルカラーであり、その要求において設定項目「読み込みサイズ」および「ファイルフォーマット」の値が指定されていない場合、設定管理部３３は、方法１では、レコード＃１〜＃９に基づいて、設定項目「ファイルフォーマット」の値を「ＴＩＦＦ」とし、設定項目「読み込みサイズ」の値を「Ａ４」とし、方法２では、レコード＃１に基づいて、設定項目「ファイルフォーマット」の値を「ＪＰＥＧ」とし、設定項目「読み込みサイズ」の値を「Ａ５」とし、方法３では、レコード＃１，＃３〜＃５，＃７，＃８に基づいて、設定項目「ファイルフォーマット」の値を「ＪＰＥＧ」とし、設定項目「読み込みサイズ」の値を「Ａ４」とする。
【００５８】
以上のように、上記実施の形態１によれば、画像形成装置１において、ユーザにより指定されていない設定項目について、そのユーザに適した値を自動的に選択することができる。
【００５９】
実施の形態２．
実施の形態２では、画像形成装置ではなくサーバ装置が、指定されていない設定項目の値を決定する。
【００６０】
図４は、本発明の実施の形態２に係る設定管理プログラムをインストールされたサーバ装置１０３を含む通信システムの構成を示すブロック図である。図４に示す通信システムでは、画像形成装置１０１、１または複数のホスト装置１０２、およびサーバ装置１０３が、ネットワーク１０４に接続されている。
【００６１】
この実施の形態２では、画像形成装置１０１は、電子機器の一例としての複合機である。画像形成装置１０１は、画像形成装置１と同様に、画像読取装置、印刷装置およびファクシミリ装置といった内部処理装置、ネットワークインタフェース、およびネットワークインタフェースを介して受信した要求に基づいて内部処理装置を動作させる制御装置を有する。なお、画像形成装置１０１は、プリンタ、スキャナ、ファクシミリ装置などの機器であってもよい。
【００６２】
ホスト装置１０２は、サーバ装置１０３を介して画像形成装置１０１へ要求を供給し、その要求に従って画像形成装置１０１を動作させる装置である。実施の形態２では、ホスト装置１０２は、サーバ装置１０３へ要求を送信し、サーバ装置１０３からその要求が画像形成装置１０１へ送信される。ホスト装置１０２としては、例えばパーソナルコンピュータが使用される。ホスト装置１０２は、要求を生成し、図示せぬネットワークインタフェースを使用して送信するドライバ１０２ａを有する。
【００６３】
ネットワーク１０４は、ＬＡＮなどのコンピュータネットワークである。
【００６４】
図５は、図４におけるサーバ装置１０３の構成を示すブロック図である。図５に示すサーバ装置１０３は、ネットワークインタフェース１１１、記憶装置１１２およびコンピュータ１１３を有する。
【００６５】
ネットワークインタフェース１１１は、ネットワーク１０４に接続され、ネットワーク１０４に接続された他の装置（ここでは、画像形成装置１０１およびホスト装置１０２）との間でデータ通信を行う電気回路である。
【００６６】
記憶装置１１２は、データおよびコンピュータプログラムを記憶するための装置である。記憶装置１１２としては、ハードディスクドライブ、不揮発性メモリなどが使用される。記憶装置１１２には、設定管理プログラム１２１、ユーザデータ１２２、および設定履歴データ１２３が記憶されている。
【００６７】
設定管理プログラム１２１は、後述の設定管理部１３３を実現するためのコンピュータプログラムである。ユーザデータ１２２は、上述のユーザデータ２２と同様のデータである。設定履歴データ１２３は、上述の設定履歴データ２３と同様のデータである。
【００６８】
コンピュータ１１３は、ＣＰＵ、ＲＯＭ、ＲＡＭなどを有し、プログラムをＲＡＭにロードし、ＣＰＵにより実行する。これにより、各種処理部が実現される。この実施の形態２では、ユーザ認証部１３１、要求処理部１３２および設定管理部１３３が実現される。なお、設定管理プログラム１２１が実行されることにより、設定管理部１３３が実現される。
【００６９】
ユーザ認証部１３１は、上述のユーザ認証部３１と同様の処理部である。
【００７０】
要求処理部１３２は、画像形成装置１０１の内部処理装置に対する要求を受け付け、その要求を画像形成装置１０１へ送信し、その要求における指定に従って複数の設定項目の値を設定させ内部処理装置を動作させる処理部である。この実施の形態２では、要求処理部１３２は、ユーザ認証部１３１により認証されたユーザの操作するホスト装置２から要求を受信し、その要求を画像形成装置１０１へ送信する。なお、所定の複数の設定項目のうち、要求において値が指定されていない設定項目が存在する場合には、要求処理部１３２は、設定管理部１３３からその設定項目の値を取得し、所定の複数の設定項目のすべての値を特定して、複数の設定項目のすべての値を指定する要求を画像形成装置１０１へ送信する。
【００７１】
設定管理部１３３は、画像形成装置１０１の内部処理装置を動作させた際の複数の設定項目の値の組合せの履歴を記録するとともに、要求において複数の設定項目のうちの１または複数の設定項目の値が指定されていない場合に、履歴に基づいて、その要求において指定されていない設定項目の値を決定する処理部である。
【００７２】
この実施の形態２では、要求において複数の設定項目のうちの１または複数の設定項目の値が指定されていない場合に、設定管理部１３３は、設定管理部３３と同様に、上述の３つの方法のいずれかで、その要求において指定されていない設定項目の値を決定する。
【００７３】
次に、上記サーバ装置１０３の動作について説明する。
【００７４】
例えば、ホスト装置１０２のドライバ１０２ａは、設定画面をホスト装置１０２の表示装置（図示せず）に表示させ、ユーザＩＤおよびパスワードの入力、並びにユーザによる設定項目の値の入力を受け付ける。
【００７５】
そして、ホスト装置１０２のドライバ１０２ａは、ユーザＩＤおよびパスワードをサーバ装置１０３へ送信し、ユーザ認証に成功すると、その入力された設定項目の値を含む要求（例えば、スキャン要求、プリント要求など）を生成し、ネットワーク１０４を介してサーバ装置１０３へ送信する。
【００７６】
このとき、ドライバ１０２ａが最新の専用ドライバであれば、画像形成装置１０１において設定可能な複数の設定項目すべての値を要求に含めることができるが、ドライバ１０２ａが汎用ドライバや古いドライバであると、画像形成装置１０１において設定可能な複数の設定項目のうちの一部の値を要求に含めないことがある。
【００７７】
一方、サーバ装置１０３では、ユーザ認証部１３１が、ネットワークインタフェース１１１を介して、ホスト装置１０２からのユーザＩＤおよびパスワードを受信し、ユーザデータ１２２を参照して、そのユーザＩＤおよびパスワードが登録ユーザのものであるか否かを判定し、その結果をホスト装置１０２へ送信する。
【００７８】
なお、ユーザ認証処理にパスワードが不要である場合には、ホスト装置１０２からユーザＩＤのみが送信され、ユーザ認証部１３１は、そのユーザＩＤが登録ユーザのものであるか否かを判定し、その結果をホスト装置１０２へ送信する。
【００７９】
また、サーバ装置１０３では、要求処理部１３２が、ネットワークインタフェース１１１を介して、ホスト装置１０２からの要求を受信する。要求処理部１３２は、所定の複数の設定項目のうち、その要求において値が指定されていない設定項目が存在するか否かを判定する。その要求において値が指定されていない設定項目が存在する場合には、要求処理部１３２は、設定管理部１３３からその設定項目の値を取得し、所定の複数の設定項目のすべての値を特定して、それらの設定項目の値を記述した要求を画像形成装置１０１へネットワークインタフェース１１１を介して送信する。
【００８０】
また、設定管理部１３３は、受信されたすべての要求について、設定項目の値の組合せを含むレコードを設定履歴データ１２３に追加する。
【００８１】
要求処理部１３２によりその要求において値が指定されていない設定項目が存在すると判定された場合、設定管理部１３３は、設定履歴データ１２３を参照して、上述の３つの方法のいずれかで、その設定項目の値を決定する。
【００８２】
画像形成装置１０１は、サーバ装置１０３から要求を受信すると、その要求において指定されている設定項目の値に従って内部処理装置を動作させる。
【００８３】
以上のように、上記実施の形態２によれば、サーバ装置１０３において、ユーザにより指定されていない設定項目について、そのユーザに適した値を自動的に選択することができる。
【００８４】
実施の形態３．
実施の形態３では、画像形成装置がホスト装置から要求を受信し、画像形成装置が、指定されていない設定項目の値をサーバ装置へ問い合わせる。
【００８５】
図６は、本発明の実施の形態３に係る設定管理プログラムをインストールされたサーバ装置２０３を含む通信システムの構成を示すブロック図である。図６に示す通信システムでは、画像形成装置２０１、１または複数のホスト装置２０２、およびサーバ装置２０３が、ネットワーク２０４に接続されている。
【００８６】
この実施の形態３では、画像形成装置２０１は、電子機器の一例としての複合機である。なお、画像形成装置２０１は、プリンタ、スキャナ、ファクシミリ装置などの機器であってもよい。
【００８７】
ホスト装置２０２は、ネットワーク２０４を介して画像形成装置２０１へ要求を供給し、その要求に従って画像形成装置２０１を動作させる装置である。ホスト装置２０２としては、例えばパーソナルコンピュータが使用される。ホスト装置２０２は、要求を生成し、図示せぬネットワークインタフェースを使用して送信するドライバ２０２ａを有する。
【００８８】
ネットワーク２０４は、ＬＡＮなどのコンピュータネットワークである。
【００８９】
図７は、図６における画像形成装置２０１の構成を示すブロック図である。図７に示す画像形成装置２０１は、画像読取装置２１１、印刷装置２１２、ファクシミリ装置２１３、ネットワークインタフェース２１４、記憶装置２１５およびコンピュータ２１６を有する。
【００９０】
画像読取装置２１１は、上述の画像読取装置１１と同様の内部処理装置である。印刷装置２１２は、上述の印刷装置１２と同様の内部処理装置である。ファクシミリ装置２１３は、上述のファクシミリ装置１３と同様の内部処理装置である。
【００９１】
ネットワークインタフェース２１４は、ネットワーク２０４に接続され、ネットワーク２０４に接続された他の装置（ここでは、ホスト装置２０２およびサーバ装置２０３）との間でデータ通信を行う電気回路である。
【００９２】
記憶装置２１５は、データおよびコンピュータプログラムを記憶するための装置である。記憶装置２１５としては、ハードディスクドライブ、不揮発性メモリなどが使用される。実施の形態３では、記憶装置２１５には、ユーザデータ２２１が記憶されている。なお、ユーザデータ２２１は、上述のユーザデータ２２と同様のデータである。
【００９３】
コンピュータ２１６は、ＣＰＵ、ＲＯＭ、ＲＡＭなどを有し、プログラムをＲＡＭにロードし、ＣＰＵにより実行する。これにより、各種処理部が実現される。この実施の形態３では、ユーザ認証部２３１および要求処理部２３２が実現される。
【００９４】
ユーザ認証部２３１は、上述のユーザ認証部３１と同様の処理部である。
【００９５】
要求処理部２３２は、内部処理装置に対する要求を受け付け、その要求における指定に従って複数の設定項目の値を設定し、内部処理装置を動作させる処理部である。この実施の形態３では、要求処理部２３２は、ユーザ認証部２３１により認証されたユーザの操作するホスト装置２０２から要求を受信し、その要求に従って内部処理装置を動作させる。なお、所定の複数の設定項目のうち、要求において値が指定されていない設定項目が存在する場合には、要求処理部２３２は、サーバ装置２０３の設定管理部２７１からその設定項目の値を取得し、所定の複数の設定項目のすべての値を特定して、その複数の設定項目の値に従って内部処理装置を動作させる。
【００９６】
図８は、図６におけるサーバ装置２０３の構成を示すブロック図である。図８に示すサーバ装置２０３は、ネットワークインタフェース２５１、記憶装置２５２およびコンピュータ２５３を有する。
【００９７】
ネットワークインタフェース２５１は、ネットワーク２０４に接続され、ネットワーク２０４に接続された他の装置（ここでは、画像形成装置２０１およびホスト装置２０２）との間でデータ通信を行う電気回路である。
【００９８】
記憶装置２５２は、データおよびコンピュータプログラムを記憶するための装置である。記憶装置２５２としては、ハードディスクドライブ、不揮発性メモリなどが使用される。記憶装置２５２には、設定管理プログラム２６１および設定履歴データ２６２が記憶されている。
【００９９】
設定管理プログラム２６１は、後述の設定管理部２７１を実現するためのコンピュータプログラムである。設定履歴データ２６２は、上述の設定履歴データ２３と同様のデータである。
【０１００】
コンピュータ２５３は、ＣＰＵ、ＲＯＭ、ＲＡＭなどを有し、プログラムをＲＡＭにロードし、ＣＰＵにより実行する。これにより、各種処理部が実現される。この実施の形態３では、設定管理プログラム２６１が実行されることにより、設定管理部２７１が実現される。
【０１０１】
設定管理部２７１は、画像形成装置２０１の内部処理装置を動作させた際の複数の設定項目の値の組合せの履歴を記録するとともに、画像形成装置２０１からの問い合わせに応じて、要求において複数の設定項目のうちの１または複数の設定項目の値が指定されていない場合に、履歴に基づいて、その要求において指定されていない設定項目の値を決定する処理部である。
【０１０２】
この実施の形態３では、要求において複数の設定項目のうちの１または複数の設定項目の値が指定されていない場合に、設定管理部２７１は、設定管理部３３と同様に、上述の３つの方法のいずれかで、その要求において指定されていない設定項目の値を決定する。
【０１０３】
例えば、ホスト装置２０２のドライバ２０２ａは、設定画面をホスト装置２０２の表示装置（図示せず）に表示させ、ユーザＩＤおよびパスワードの入力、並びにユーザによる設定項目の値の入力を受け付ける。
【０１０４】
そして、ホスト装置２０２のドライバ２０２ａは、ユーザＩＤおよびパスワードを画像形成装置２０１へ送信し、ユーザ認証に成功すると、その入力された設定項目の値を含む要求（例えば、スキャン要求、プリント要求など）を生成し、ネットワーク２０４を介して画像形成装置２０１へ送信する。
【０１０５】
このとき、ドライバ２０２ａが画像形成装置２０１の最新の専用ドライバであれば、画像形成装置２０１において設定可能な複数の設定項目すべての値を要求に含めることができるが、ドライバ２０２ａが汎用ドライバや古いドライバであると、画像形成装置２０１において設定可能な複数の設定項目のうちの一部の値を要求に含めないことがある。
【０１０６】
一方、画像形成装置２０１では、ユーザ認証部２３１が、ネットワークインタフェース２１４を介して、ホスト装置２０２からのユーザＩＤおよびパスワードを受信し、ユーザデータ２２１を参照して、そのユーザＩＤおよびパスワードが登録ユーザのものであるか否かを判定し、その結果をホスト装置２０２へ送信する。
【０１０７】
なお、ユーザ認証処理にパスワードが不要である場合には、ホスト装置２０２からユーザＩＤのみが送信され、画像形成装置２０１のユーザ認証部２３１は、そのユーザＩＤが登録ユーザのものであるか否かを判定し、その結果をホスト装置２０２へ送信する。
【０１０８】
また、画像形成装置２０１では、要求処理部２３２が、ネットワークインタフェース２１４を介して、ホスト装置２０２からの要求を受信する。要求処理部２３２は、所定の複数の設定項目のうち、その要求において値が指定されていない設定項目が存在するか否かを判定する。その要求において値が指定されていない設定項目が存在する場合には、要求処理部２３２は、要求を発行したユーザのユーザＩＤ、要求において指定されていない設定項目、および要求において指定されている設定項目の値などといった設定管理部２７１の処理に必要な情報を含む問い合わせを、サーバ装置２０３の設定管理部２７１へ送信する。そして、要求処理部２３２は、その問い合わせの応答として、要求において指定されていない設定項目の値を取得し、所定の複数の設定項目のすべての値を特定して、その複数の設定項目の値に従って内部処理装置を動作させる。
【０１０９】
また、要求処理部２３２は、受信されたすべての要求について、要求を発行したユーザのユーザＩＤ、要求の受信日時、および要求の使用された設定項目の値の組合せを含むレコード追加要求をサーバ装置２０３の設定管理部２７１へ送信する。
【０１１０】
一方、サーバ装置２０３の設定管理部２７１は、その問い合わせを受信すると、上述の３つの方法のいずれかで、要求において指定されていない設定項目の値を特定し、その設定項目の値を含む応答を画像形成装置２０１の要求処理部２３２へ送信する。
【０１１１】
また、サーバ装置２０３の設定管理部２７１は、レコード追加要求を受信すると、設定履歴データ２６２に、要求を発行したユーザのユーザＩＤ、要求の受信日時および要求の使用された設定項目の値の組合せを含むレコードを追加する。
【０１１２】
以上のように、上記実施の形態３によれば、サーバ装置２０３において、ユーザにより指定されていない設定項目について、そのユーザに適した値を自動的に選択することができる。
【０１１３】
なお、上述の各実施の形態は、本発明の好適な例であるが、本発明は、これらに限定されるものではなく、本発明の要旨を逸脱しない範囲において、種々の変形、変更が可能である。
【０１１４】
例えば、上記各実施の形態において、設定管理部３３，１３３，２７１は、要求において複数の設定項目のうちの１または複数の設定項目の値が指定されていない場合に、設定履歴データ２３，１２３，２６２のうち、その要求を受け付けた時刻を含む所定の時間帯に含まれる時刻に関連付けられている組合せのみに基づいて、要求において指定されていない設定項目の値を決定する。例えば、２４時間が４時間ごとの６つの時間帯に分割されている場合、要求が７時４０分に受信されると、４時から８時までの時間帯の受信日時を有するレコードのみを考慮して、その要求において指定されていない設定項目の値を決定する。あるいは、要求受信時の前および／または後の所定の時間（例えば２時間）以内の時間帯の受信日時を有するレコードのみを考慮して、その要求において指定されていない設定項目の値を決定するようにしてもよい。
【０１１５】
また、上記各実施の形態において、ユーザ認証を行わないようにしてもよい。その場合、要求を発行したホスト装置２，１０２，２０２のアドレス情報（ＩＰアドレス、ＭＡＣアドレスなど）を特定し、そのアドレス情報を含むレコードのみを考慮して、その要求において指定されていない設定項目の値を決定するようにしてもよい。
【０１１６】
また、上記各実施の形態において、要求を発行したユーザのユーザＩＤおよび要求を発行したホスト装置のアドレス情報の両方を含むレコードのみを考慮して、その要求において指定されていない設定項目の値を決定するようにしてもよい。
【０１１７】
また、上記各実施の形態において、設定管理部３３，１３３，２７１は、設定履歴データ２３、１２３，２６２において、要求を受け付けてから所定期間が経過しているレコードを削除するようにしてもよい。
【０１１８】
また、上記各実施の形態においては要求の送付前にユーザ認証を行っているが、その代わりに、要求にユーザＩＤおよびパスワード（あるいはユーザＩＤのみ）を含め送信し、ユーザ認証を行うようにしてもよい。
【０１１９】
また、上記各実施の形態において、要求においてある設定項目に指定されている値がその設定項目に対して許容されない誤った値である場合には、その設定項目の値が指定されていないものとみなし、上述のようにしてその設定項目の値を決定し、要求において指定されている誤った値の代わりに使用する。
【産業上の利用可能性】
【０１２０】
本発明は、例えば、複合機、スキャナ、プリンタなどの画像形成装置に適用可能である。
【符号の説明】
【０１２１】
１  画像形成装置（電子機器の一例）
１１，２１１  印刷装置（内部処理装置の例）
１２，２１２  画像読取装置（内部処理装置の例）
１３，２１３  ファクシミリ装置（内部処理装置の例）
１６，１１３，２１６  コンピュータ
２１，１２１，２６１  設定管理プログラム
３２，１３２，２３２  要求処理部
３３，１３３，２７１  設定管理部
【図１】
2010257385.tif 000003
【図２】
2010257385.tif 000004
【図３】
2010257385.tif 000005
【図４】
2010257385.tif 000006
【図５】
2010257385.tif 000007
【図６】
2010257385.tif 000008
【図７】
2010257385.tif 000009
【図８】
2010257385.tif 000010